(57)【要約】【課題】  装置全体をコンパクト化して安価にすると共に、容易に任意の吊り下げ位置へ変更可能な点吊り装置を提供する。【解決手段】  簀の子３上面を走行するための走行部材２３を底部に備えた箱状の本体４と、この本体４内に配置した巻取りドラム５と、上記本体４に対して基端部を回動可能に軸支した腕部６とを備え、上記巻取りドラム５に巻き回された吊りワイヤ８が、この巻取りドラム５を駆動させるブレーキ付きモータ９の作動によって上記腕部６を介して舞台の床面側Ｓへ繰り出され又は巻き取られるようにした。【選択図】  図１
2008200390.tif 000002
【特許請求の範囲】
【請求項１】
舞台天井面を走行するための走行部材を底部に備えた箱状の本体と、この本体内に配置した巻取りドラムと、上記本体に対して基端部を回動可能に軸支した腕部とを備え、上記巻取りドラムに巻き回された吊りワイヤが、この巻取りドラムを駆動させる駆動手段の作動によって上記腕部を介して舞台の床面側へ繰り出され又は巻き取られるようにしたことを特徴とする点吊り装置。
【請求項２】
上記走行部材はキャスターであって、本体の底面に所定間隔をおいて複数個設けられると共に、その車輪の巾が舞台天井面を構成する簀の子の溝巾よりも大きく設定されている請求項１記載の点吊り装置。
【請求項３】
上記本体の上面前部及び後面には夫々前側ハンドル及び後側ハンドルが設けられている請求項１記載の点吊り装置。
【請求項４】
上記腕部及び本体後面には夫々前側固定部材及び後側固定部材が設けられ、これら固定部材の作動により点吊り装置を上記舞台天井面に対して位置決め固定する請求項１記載の点吊り装置。
【請求項５】
上記腕部は左右一対の腕板と、その腕板間に回動可能に軸支されたシーブとから構成され、本体内から導き出された上記吊りワイヤがこのシーブを介して上記舞台の床面側へ案内される請求項１記載の点吊り装置。
【請求項６】
上記シーブよりも基端側となる腕板間には係止部材が回動可能に軸支されており、この係止部材を上記本体に設けた係止凹部に嵌め込むことで上記腕部を本体に対して位置決め固定する請求項５記載の点吊り装置。
【発明の詳細な説明】
【技術分野】
【０００１】
本発明は、劇場やホール、アリーナ等の舞台天井に設置される点吊り装置に関するものである。
【背景技術】
【０００２】
劇場やホール、アリーナ等の舞台天井には、フックにマイクや照明器具等の吊り物を吊り下げ、そのフックを昇降させることで上記吊り物の昇降位置を調整する点吊り装置が配置されている。
【０００３】
この点吊り装置は、公演種目に応じて吊り物の吊り下げ位置や、昇降位置を変更する必要があり、そのための機構を備えたものとしては、特許文献１に示すものを例示することができる。
【０００４】
この点吊り装置は、天井の下方にレールを架設し、このレールに走行ブロックを移動自在に設けると共に、この走行ブロックに回動自在に設けられた滑車にワイヤを巻き掛け、このワイヤを天井上面に設けたモータで巻き取り又は繰り出しすることで、上記ワイヤに設けたフックを昇降可能としている。
【０００５】
この構成によれば、フックに吊り物を吊らない状態で、手動により上記走行ブロックを任意の吊り下げ位置に移動可能とすると共に、上記モータによるワイヤの巻き取り又は繰り出しによって、フックに吊り下げた上記吊り物の昇降位置を調整できる。
【特許文献１】特開２００３‐１９３７０号公報（図１〜図４参照）
【発明の開示】
【発明が解決しようとする課題】
【０００６】
上記特許文献１に示す点吊り装置は、天井の下方にレールを架設するので、天井上面はモータのみとなって人の歩行を可能とする等、有効に利用できる反面、以下に示す問題点がある。
【０００７】
即ち、吊り下げ位置の変更はレールに沿ってのみ可能となるため、任意の吊り下げ位置への変更を可能とするには、上記レールを長く設定しておく必要があり、その分、装置全体が大掛かりなものとなってコストが嵩む。
【０００８】
又、この点吊り装置は、天井の上方にモータを設け、下方にレールを設けているので、上記天井を挟んだ上下部に構成部材が点在して配置されることになり、装置全体としては大型化し、やはりコストが嵩む。
【０００９】
そこで、本発明の目的は、装置全体をコンパクト化して安価にすると共に、容易に任意の吊り下げ位置へ変更可能な点吊り装置を提供することである。
【課題を解決するための手段】
【００１０】
上記の目的を達成するため、本発明は、舞台天井面を走行するための走行部材を底部に備えた箱状の本体と、この本体内に配置した巻取りドラムと、上記本体に対して基端部を回動可能に軸支した腕部とを備え、上記巻取りドラムに巻き回された吊りワイヤが、この巻取りドラムを駆動させる駆動手段の作動によって上記腕部を介して舞台の床面側へ繰り出され又は巻き取られるようにしたことを特徴とするものである。
【発明の効果】
【００１１】
本発明の点吊り装置は、その本体の底部に走行部材を設けると共に、本体側に吊りワイヤを巻き回する巻取りドラムや、この巻取りドラムを駆動させる駆動手段を設けている。
【００１２】
従って、従来例で示した装置に比較し、装置全体がコンパクトになって、安価に製造可能となると共に、単独で簡単に任意の吊り下げ位置へ移動できるので、使い勝手も非常に良い。
【００１３】
又、上記本体に対して腕部をその基端部で回動可能に軸支したので、例えば、腕部を折り畳んで収納位置とすることもでき、不使用状態ではコンパクトにして収納することができる。
【発明を実施するための最良の形態】
【００１４】
以下に、本発明を劇場の舞台天井に設置される点吊り装置に具体化した一実施の形態を図に基づいて説明する。
【００１５】
図１に示すように、本実施の形態の点吊り装置１は、上記舞台天井面としてのグレーチングタイプの簀の子３上面を走行する走行部材を底部に備えた箱状の本体４と、この本体４内に配置された巻取りドラム５と、上記本体４に対して基端部が回動可能に軸支された腕部６とを備えており、上記巻取りドラム５に巻き回された吊りワイヤ８が上記腕部６を介して舞台の床面側Ｓへ繰り出され又は巻き取られるようになっている。
【００１６】
以下、更に詳述すると、上記本体４の上面には上記巻取りドラム５を駆動させるための駆動手段としてのブレーキ付きモータ９が取り付けられており、この本体４又は、本体４とは別に設けられた図示しない制御コントローラからの指示によって上記巻取りドラム５を駆動させ、この巻取りドラム５に巻回された吊りワイヤ８の繰り出し又は巻き取りを行なうようになっている。
【００１７】
上記本体４の前面（図１における右側面を言う）には上下一対の支持板１１ａ、１１ｂが突設されており、この支持板１１ａ、１１ｂ間には上記腕部６の回動中心となる軸部１２が回動可能に軸支されている。
【００１８】
上記軸部１２に基端が固定されている腕部６は、左右一対の腕板６ａと、その腕板６ａ間に回動可能に軸支されたシーブ１３とから構成されており、本体４内から導き出された吊りワイヤ８がこのシーブ１３を介して上記舞台の床面側Ｓへ案内されるようになっている。
【００１９】
又、上記シーブ１３よりも基端側となる腕板６ａ間には係止部材が回動可能に軸支されている。
【００２０】
この係止部材は基端が上記腕板６ａ間に軸支された係止棒１４と、この係止棒１４に螺合されたナット１５とから構成されており、この係止棒１４を起立方向（図１の矢印で示す）へ回動させて上記上側の支持板１１ａに設けられたフランジ部１６に形成の２個の係止凹部１１ｃのいずれかに嵌め込み、上記ナット１５を締め込むことで上記腕部６を、本体４に対して図２に示す使用位置と、図４に示す収納位置の二位置に選択して位置決め固定するようになっている。
【００２１】
上記腕部６の先端には、前側固定部材としてのねじジャッキ１７が設けられている。
【００２２】
このねじジャッキ１７は、上記腕部６先端に溶接等により固定された取付部１８と、この取付部１８に螺合された棒状のねじ部１９と、このねじ部１９上端に取り付けられたハンドル２０と、同じくねじ部１９下端に取り付けられた固定板２１とから構成されている。
【００２３】
従って、上記ハンドル２０を回動させて腕部６に対してねじ部１９を下降させ、このねじ部１９下端の固定板２１を簀の子３上面に圧接させることで、吊りワイヤ８の繰り出し又は巻き取り時に本体４が腕部６側へ倒れるのを防止すると共に、後述する後部固定部材と相俟って点吊り装置１自体を位置決め固定するようになっている。
【００２４】
上記走行部材は、キャスター２３であって、本体４の底部に所定間隔をおいて設けられており、本実施の形態では両側面側夫々３個、前面中央と後面中央に夫々１個の合計８個設けられている。
【００２５】
又、上記キャスター２３は、図３に示すように、その車輪２３ａの巾Ｈが簀の子３の溝巾ｈよりも大きく設定されており、点吊り装置１移動時に簀の子３の溝に車輪２３ａがはまり込まないようになっている。
【００２６】
上記本体４の上面前部と、後面（図１における左側を言う）上部にはそれぞれ前側ハンドル２４及び後側ハンドル２５が設けられており、これらのハンドル２４、２５を握って点吊り装置１を容易に移動できるようになっている。
【００２７】
上記本体４の後面下部には、後側固定部材としてのクランプ２６が設けられている。
【００２８】
このクランプ２６は、図１に示すように、操作レバー２７の操作によって下端の係止部２８が上記簀の子３の下面（舞台側面を言う）３ａに係止され、上記吊りワイヤ８の繰り出し又は巻き取り時に本体４が上方に浮き上がるのを防止すると共に、上記ねじジャッキ１７の作用と相俟って点吊り装置１自体を位置決め固定するようになっている。
【００２９】
以上のように構成された点吊り装置の作用を説明すると、先ず、上記腕部が図４に示す収納位置となった不使用状態の点吊り装置１を、上記本体４の上面前部と後面上部に設けられた前側ハンドル２４及び後側ハンドル２５のいずれか又は両方を握って手動操作により所定の吊り下げ位置へ移動させる。
【００３０】
その後、上記ナット１５を緩めて係止棒１４を倒すように回動させることで、一方の上記係止凹部１１から係止棒を外す。
【００３１】
次いで、上記腕部６を図２に示す使用位置に回動させ、再度、上記係止棒１４を起立方向へ回動させて他方の係止凹部１１ｃへ嵌め込み、ナット１５を締め込むことで、上記腕部６を、図２に示す使用位置に位置決め固定する。
【００３２】
この状態で、上記ねじジャッキ１７のハンドル２０を回動させ、腕部６からねじ部１９を下降させ、このねじ部１９下端の固定板２１を簀の子３上面に圧接させることで、吊りワイヤ８の繰り出し又は巻き取り時に本体４が腕部６側へ倒れるのを防止すると共に、点吊り装置１自体を位置決め固定する。
【００３３】
又、同時に、上記クランプ２６の操作レバー２７を操作することで、下端の係止部２８が上記簀の子３の下面に係止され、上記本体４が上方に浮き上がるのを防止すると共に、上記ねじジャッキ１７の作用と相俟って点吊り装置１自体を位置決め固定する。
【００３４】
この状態の点吊り装置１において、図１に示すように、本体４とは別に設けられた図示しない制御コントローラを使用して上記ブレーキ付きモータ９を駆動させ、巻取りドラム５に巻回された吊りワイヤ８を舞台の床面側Ｓへの繰り出し、先端のフック３０に図示しない吊り物を吊り下げ、このフック３０を昇降させることで、上記吊り物の昇降位置を調整する。
【００３５】
その後、上記吊り物の吊り下げ位置を変更する場合や、使用が終了して点吊り装置自体１を天井面等に設けられた収納場所へ収納する場合には、上記した操作手順と逆の操作手順を行なえば良い。
【００３６】
このとき、点吊り装置１をその本体４の底部にキャスター２３を設けて単独で移動可能とすると共に、本体４側に吊りワイヤ８を巻き回する巻取りドラム５や、この巻取りドラム５を駆動させるブレーキ付きモータ９を設けたので、従来例で示した装置に比較し、装置全体をコンパクトにできる。
【００３７】
従って、点吊り装置１自体を安価に製造可能とすると共に、手動操作によって単独で簡単に任意の吊り下げ位置へ移動できるので、使い勝手も非常に良い。
【００３８】
又、上記本体４に対して腕部６をその基端部で回動可能に軸支することで、上記腕部６を図４に示す収納位置に折り畳むことができるので、不使用状態ではコンパクトにして収納することができる、
又、上記本体４側に巻取りドラム５を駆動させるブレーキ付きモータ９を設けたので、本体４からは外部電源に接続する電源コードを出すだけで良く、装置全体としてコンパクトなものとすることができる。
【００３９】
又、上記ブレーキ付きモータ９を本体４の上面に露出するように設けたので、モータ部分のメンテナンスを容易に行なうことができる。
【００４０】
又、上記本体４の上面前部と、後面上部にそれぞれ前側ハンドル２４及び後側ハンドル２５を設けたので、点吊り装置１を前後に移動させる際、どちら側からも容易にハンドル２４、２５を握って操作でき、大変、使い勝手が良い。
【００４１】
尚、本発明は、上記実施の形態に限定されるものではなく、例えば、以下のように変更して具体化することも可能である。
【００４２】
１）本実施の形態では、係止部材としての係止棒１４が嵌め込まれる係止凹部１１ｃを使用位置用と、収納位置用の２個設けたが、これに限定されるものではなく、複数個設けることで、本体４に対する腕部６の角度を任意に変更した状態で、吊りワイヤ８の舞台の床面側Ｓへ繰り出し又は巻き取り操作を行うようにしても良い。
【００４３】
２）本実施の形態では、走行部材としてキャスター２３を使用したが、これに限定されるものではなく、キャスター２３以外のもの、例えば、クローラ等を用いても良く、更には、電動等で駆動する駆動手段を備えた走行部材としても良い。
【００４４】
３）本実施の形態では、腕部６の先端に前側固定部材としてのねじジャッキ１７を設けたが、これに限定されるものではなく、本体４側に直接設けても良い。
【００４５】
又、固定部材の構造も、本実施の形態で示したねじジャッキ１７に限定されるものではなく、他の任意の構造を採用することができる。
【００４６】
４）本実施の形態では、本体４の上面に上記巻取りドラム５を駆動させるためのブレーキ付きモータ９を取り付けたが、これに限定されるものではなく、本体４内に設けても良い。
【図面の簡単な説明】
【００４７】
【図１】本発明の点吊り装置の一実施の形態を示す一部破断側面図である。
【図２】図１の点吊り装置を示す平面図である。
【図３】図１の点吊り装置を示す一部破断正面図である。
【図４】図２の点吊り装置の不使用状態を示す平面図である。
【符号の説明】
【００４８】
１  点吊り装置
３  簀の子（舞台天井）
５  巻取りドラム
６  腕部
６ａ  腕板
８  吊りワイヤ
９  ブレーキ付きモータ（駆動手段）
１１ｃ  係止凹部
１３  シーブ
１４  係止棒（係止部材）
１５  ナット（係止部材）
１７  ねじジャッキ（前側固定部材）
２３  キャスター（走行部材）
２３ａ  車輪
２４  前側ハンドル
２５  後側ハンドル
２６  クランプ（後側固定部材）
ｈ   簀の子の巾
Ｈ  車輪の巾
Ｓ  舞台の床面側
【図１】
2008200390.tif 000003
【図２】
2008200390.tif 000004
【図３】
2008200390.tif 000005
【図４】
2008200390.tif 000006